(57)【要約】【課題】屋外にさらされることによる劣化を避けて、ドレンホースの部品点数を削減させつつ、排水機構を通じた屋外からの室内への小動物や昆虫の侵入を防止することが可能な空気調和装置の室内機を提供する。【解決手段】室内熱交換器１０において生じた凝縮水をドレンホース６、７を介して屋外に排出する空気調和装置１００の室内機１であって、ドレンパン６０、７０と、排水通路８０、８５と、小動物侵入防止部材８２とを備えている。ドレンパン６、７は、室内熱交換器１０において生じた凝縮水を受け止める。排水通路８０、８５は、一端がドレンパン６０、７０に接続されており、他端がドレンホース６、７と接続可能であり、ドレンパン６０、７０に集められた凝縮水を接続状態のドレンホース６、７まで導く。小動物侵入防止部材８２は、排水通路８０、８５の途中に設けられ、凝縮水が排水される向きと逆行する向きに移動する移動体に対して抵抗となる。【選択図】図１２
2008095993.tif 000002
【特許請求の範囲】
【請求項１】
熱交換器（１０）において生じた凝縮水をドレンホース（６、７）を介して屋外に排出する空気調和装置（１００）の室内機（１）であって、
前記熱交換器（１０）において生じた凝縮水を受け止め、前記受け止めた凝縮水を集めるドレンパン（６０、７０）と、
一端が前記ドレンパン（６０、７０）に接続されており、他端が前記ドレンホース（６，７）と接続可能であり、前記ドレンパン（６０、７０）に集められた凝縮水を接続状態の前記ドレンホース（６、７）まで導くための排水通路（８０、８５）と、
前記排水通路（８０、８５）の途中に設けられ、前記凝縮水が排水される向きと逆行する向きに移動する移動体に対して抵抗となる通過抵抗部（８２、８７）と、
を備えた空気調和装置（１００）の室内機（１）。
【請求項２】
前記排水通路（８０、８５）と、前記通過抵抗部（８２、８７）とは、一体成型されている、
請求項１に記載の空気調和装置（１００）の室内機（１）。
【請求項３】
前記排水通路（８０）は、雄金型（９１）と雌金型（９４）とによって成型され、凝縮水の通過方向に前記雄金型（９１）と前記雌金型（９４）とが互いに離れるように金型抜きされる方向に延びて成型されており、
前記排水通路（８０）の前記通過抵抗部（８２、８７）は、前記金型抜きの前に当接する前記雄金型（９１）側の一部と前記雌金型（９４）側の一部との少なくともいずれか一方が凹凸形状となっており、前記雄金型（９１）の一部と前記雌金型（９４）の一部とが当接した際の接触状態により成型される、
請求項１または２に記載の空気調和装置（１００）の室内機（１）。
【請求項４】
熱交換器（１０）において生じた凝縮水をドレンホース（６、７）を介して屋外に排出する空気調和装置（１００）の室内機（１）の製造方法であって、
前記熱交換器（１０）において生じた凝縮水を受け止め、前記受け止めた凝縮水を集めるドレンパン（６０、７０）を成型するドレンパン成型行程と、
一端が前記ドレンパン（６０、７０）に接続されており、他端が前記ドレンホース（６、７）に対して接続可能であり、前記ドレンパン（６０、７０）に集められた凝縮水を接続状態の前記ドレンホース（６、７）まで導くための排水通路（８０、８５）と、前記排水通路（８０、８５）の途中に設けられ、前記凝縮水が排水される向きと逆行する向きに移動する移動体に対して抵抗となる通過抵抗部（８２、８７）と、を雄金型（９１）と雌金型（９４）とによって一体に成型する排水機構成型行程と、
を備え、
前記排水機構成型行程では、前記排水通路（８０、８５）は、凝縮水の通過方向に前記雄金型（９１）と前記雌金型（９４）とが互いに離れるように金型抜きされることで成型され、前記排水通路（８０）の前記通過抵抗部（８２、８７）は、前記金型抜きの前に当接する前記雄金型（９１）側の一部と前記雌金型（９４）側の一部との少なくともいずれか一方が凹凸形状となっており、前記雄金型（９１）の一部と前記雌金型（９４）の一部とが当接した際の接触状態により成型される、
空気調和装置の室内機（１）の製造方法。
【発明の詳細な説明】
【技術分野】
【０００１】
本発明は、熱交換器で生じた凝縮水を排出する空気調和装置の室内機およびその製造方法に関する。
【背景技術】
【０００２】
従来、空気調和装置の室内機では、冷房運転時や除湿運転時に室内空気が熱交換器で熱交換され、空気中の水分が熱交換器の表面において凝縮されて凝縮水が生じた場合に、排水機構を介して排水している。
【０００３】
このような排水機構としては、ドレンホースの一端が室内機の排水口に接続され、ドレンホースの他端が屋外まで延びるようにして、室内機の内部で生じた凝縮水を屋外に排水
するのが一般的である。
【０００４】
ところが、凝縮水を屋外に排出するためにドレンホースによって屋外空間と室内空間とを繋いでいるために、屋外から、ねずみ等の小動物やクモ等の昆虫が、排水方向とは逆行して入ってくることがある。そして、室内機の内部を通過して、部屋の中に小動物や虫等が侵入してしまうことがある。
【０００５】
これに対して、以下に示す特許文献１では、排水口に接続されるドレンホースの屋外側の他端がむき出しにならないように、ネット、メッシュ、網目、格子状部材などの防虫手段を設けて、小動物や昆虫の侵入を防ぐ技術が提案されている。
【特許文献１】特開２００１−２８０６４８号公報
【発明の開示】
【発明が解決しようとする課題】
【０００６】
しかし、上記特許文献１に記載の空気調和装置の室内機では、小動物や昆虫の侵入を防ぐためにドレンホースとは別にネット等の防虫手段が別途必要になっており、部品点数が増してしまっている。
【０００７】
また、屋外において表面がむき出しに設置されるドレンホースは、ホース部自体の劣化により交換が必要になることもあるが、このような交換を行う場合に、交換後も小動物や虫の侵入を防ぐために、ネット等の防虫手段付きのドレンホースを選ぶ必要があり、コストがかかる。
【０００８】
本発明は、上述した点に鑑みてなされたものであり、本発明の課題は、屋外にさらされることによる劣化を避けて、ドレンホースの部品点数を削減させつつ、排水機構を通じた屋外からの室内への小動物や昆虫の侵入を防止することが可能な空気調和装置の室内機およびその製造方法を提供することにある。
【課題を解決するための手段】
【０００９】
第１発明に係る空気調和装置の室内機は、熱交換器において生じた凝縮水をドレンホースを介して屋外に排出する空気調和装置の室内機であって、ドレンパンと、排水通路と、通過抵抗部とを備えている。ドレンパンは、熱交換器において生じた凝縮水を受け止める。排水通路は、一端がドレンパンに接続されており、他端がドレンホースと接続可能であり、ドレンパンに集められた凝縮水を接続状態のドレンホースまで導く。通過抵抗部は、排水通路の途中に設けられ、凝縮水が排水される向きと逆行する向きに移動する移動体に対して抵抗となる。ここでの抵抗機構部としては、例えば、排水通路と別部品であっても排水通路と一体であってもいずれも含まれる。また、通過抵抗部としては、例えば、弁、網・格子状構造、スリット等が含まれる。通過抵抗部は、排水通路の途中に設けられるが、この「途中」には、排水通路の両端が含まれるものとする。
【００１０】
ここでは、熱交換器において生じた凝縮水がドレンパンに集められ、ドレンパンに集まってくる凝縮水は、排水通路を通過する。そして、排水通路に接続されて室内と屋外とを繋ぐドレンホースによって、凝縮水が屋外に排出される。ここで、排水通路を通過する凝縮水は、排水通路の途中に設けられた網等の通過抵抗部を通過して、排水される。一方、屋外にまで延びているドレンホースの中をつたって室内の部屋の中に侵入しようとするネズミ等の小動物やクモ等の昆虫等の移動体は、排水通路の途中に設けられている網等の通過抵抗部を室内の部屋に向けて通過することができないため、室内の部屋の中に侵入することができない。
【００１１】
また、空気調和装置の室内機に、排水通路および通過抵抗部が設けられている。このため、これらの排水通路や通過抵抗部は、屋外の日光や温度変化による風化等の影響を受けにくく、劣化しにくい。さらに、屋外にまで延びて配置されているドレンホースが劣化し、交換する必要が生じたとしても、ドレンホース自体に移動体の侵入を防ぐ網等の抵抗部を備えておく必要がなく、ドレンホースの部品点数が少なくて済む。
【００１２】
これにより、屋外にさらされることによる劣化を避けて、ドレンホースの部品点数を削減させつつ、排水機構を通じた屋外からの室内への小動物や昆虫の侵入を防止することが可能になる。
【００１３】
第２発明に係る空気調和装置の室内機は、第１発明に係る空気調和装置の室内機であって、排水通路と、通過抵抗部とは、一体成型されている。
【００１４】
ここでは、排水通路と、通過抵抗部とが、一体成型されているため、空気調和装置の室内機の部品点数を削減させることが可能になる。
【００１５】
第３発明に係る空気調和装置の室内機は、第１発明または第２発明に係る空気調和装置の室内機であって、排水通路は、雄金型と雌金型とによって成型され、凝縮水の通過方向に雄金型と雌金型とが互いに離れるように金型抜きされる方向に延びて成型されている。そして、排水通路の通過抵抗部は、金型抜きの前に当接する雄金型側の一部と雌金型側の一部との少なくともいずれか一方が凹凸形状となっており、雄金型の一部と雌金型の一部とが当接した際の接触状態により成型される、
ここでは、排水通路は、雄金型と雌金型とを互いに離れるように金型抜きされることで成型される。そして、その際に、雄金型と雌金型の少なくともいずれかの凹凸部分が当接した際の凹凸部の接触状態に対応するように形作られる部分が、金型抜きされた後に通過抵抗部となる。
【００１６】
これにより、単に雄金型と雌金型とを接触させて互いに離すだけで通過抵抗部を容易に成型することが可能になる。
【００１７】
第４発明に係る空気調和装置の室内機の製造方法は、熱交換器において生じた凝縮水をドレンホースを介して屋外に排出する空気調和装置の室内機の製造方法であって、ドレンパン成型行程と、排水機構成型行程とを備えている。ドレンパン成型行程では、熱交換器において生じた凝縮水を受け止め、前記受け止めた凝縮水を集めるドレンパンを成型する。排水機構成型行程では、排水通路と、通過抵抗部とを雄金型と雌金型とによって一体に成型する。ここで、排水通路は、一端がドレンパンに接続されており、他端がドレンホースに対して接続可能であり、ドレンパンに集められた凝縮水を接続状態のドレンホースまで導くための通路である。また、通過抵抗部は、排水通路の途中に設けられ、凝縮水が排水される向きと逆行する向きに移動する移動体に対して抵抗となる。そして、排水機構成型行程では、排水通路は、凝縮水の通過方向に雄金型と雌金型とが互いに離れるように金型抜きされることで成型され、排水通路の通過抵抗部は、金型抜きの前に当接する雄金型側の一部と雌金型側の一部との少なくともいずれか一方が凹凸形状となっており、雄金型の一部と雌金型の一部とが当接した際の接触状態により成型される。ここでの抵抗機構部としては、例えば、排水通路と別部品であっても排水通路と一体であってもいずれも含まれる。また、通過抵抗部としては、例えば、弁、網・格子状構造、スリット等が含まれる。
【００１８】
ここでは、ドレンパン成型行程と、排水機構成型行程とを経て製造される空気調和装置の室内機では、熱交換器において生じた凝縮水がドレンパンに集められ、ドレンパンに集まってくる凝縮水が、排水通路を通過する。そして、排水通路に接続されて室内と屋外とを繋ぐドレンホースによって、凝縮水が屋外に排出される。ここで、排水通路を通過する凝縮水は、排水通路の途中に設けられた網等の通過抵抗部を通過して、排水される。一方、屋外にまで延びているドレンホースの中をつたって室内の部屋の中に侵入しようとするネズミ等の小動物やクモ等の昆虫等の移動体は、排水通路の途中に設けられている網等の通過抵抗部を室内の部屋に向けて通過することができないため、室内の部屋の中に侵入することができない。
【００１９】
また、空気調和装置の室内機に、排水通路および通過抵抗部が設けられている。このため、これらの排水通路や通過抵抗部は、屋外の日光や温度変化による風化等の影響を受けにくく、劣化しにくい。さらに、屋外にまで延びて配置されているドレンホースが劣化し、交換する必要が生じたとしても、ドレンホース自体に移動体の侵入を防ぐ網等の抵抗部を備えておく必要がなく、ドレンホースの部品点数が少なくて済む。
【００２０】
さらに、排水通路は、雄金型と雌金型とを互いに離れるように金型抜きされることで成型される。そして、その際に、雄金型と雌金型の少なくともいずれかの凹凸部分が当接した際の凹凸部の接触状態に対応するように形作られる部分が、金型抜きされた後に通過抵抗部となる。
【００２１】
これにより、屋外にさらされることによる劣化を避けて、ドレンホースの部品点数を削減させつつ、排水機構を通じた屋外からの室内への小動物や昆虫の侵入を防止することができる空気調和装置の室内機が製造でき、さらに、排水通路と通過抵抗部とが一体成型されることで部品点数を削減でき、単に雄金型と雌金型とを接触させて互いに離すだけで通過抵抗部を容易に成型することが可能になる。
【発明の効果】
【００２２】
第１発明の空気調和装置では、屋外にさらされることによる劣化を避けて、ドレンホースの部品点数を削減させつつ、排水機構を通じた屋外からの室内への小動物や昆虫の侵入を防止することが可能になる。
【００２３】
第２発明の空気調和装置では、空気調和装置の室内機の部品点数を削減させることが可能になる。
【００２４】
第３発明の空気調和装置では、単に雄金型と雌金型とを接触させて互いに離すだけで通過抵抗部を容易に成型することが可能になる。
【００２５】
第４発明の空気調和装置では、屋外にさらされることによる劣化を避けて、ドレンホースの部品点数を削減させつつ、排水機構を通じた屋外からの室内への小動物や昆虫の侵入を防止することができる空気調和装置の室内機が製造でき、さらに、排水通路と通過抵抗部とが一体成型されることで部品点数を削減でき、単に雄金型と雌金型とを接触させて互いに離すだけで通過抵抗部を容易に成型することが可能になる。
【発明を実施するための最良の形態】
【００２６】
以下、図面に基づいて、本発明に係る空気調和装置の実施形態について説明する。
【００２７】
＜空気調和装置の概略構成＞
本発明の一実施形態が採用された空気調和装置１００は、室内の壁面に設置される室内機１と、室外に設置される室外機２とを備えている。
【００２８】
室内機１内および室外機２内にはそれぞれ熱交換器が収納されており、各熱交換器が冷媒配管５により接続されることにより冷媒回路を構成している。
【００２９】
＜空気調和装置１００の冷媒回路の構成概略＞
空気調和装置１００の冷媒回路の構成を図１に示す。
【００３０】
この冷媒回路は、主として室内熱交換器１０、アキュムレータ２１、圧縮機２２、四路切換弁２３、室外熱交換器２０および膨張弁２４で構成される。
【００３１】
室内機１に設けられている室内熱交換器１０は、接触する空気との間で熱交換を行う。ここでは、室内熱交換器１０は、図５に示すように、室内機１の前方に配置される前方熱交換器１０ｆと、後方に配置される後方熱交換器１０ｂによって構成されている。この前方熱交換器１０ｆの前方下端部の下方には、前方熱交換器１０ｆにおいて生じた空気中の水分の凝縮水を捕らえる前方ドレンパン６０が設けられている。そして、後方熱交換器１０ｂの後方下端部の下方には、後方熱交換器１０ｂにおいて生じた空気中の水分の凝縮水を捕らえる後方ドレンパン７０が設けられている。また、室内機１には、室内空気を吸い込んで室内熱交換器１０に通し熱交換が行われた後の空気を室内に排出するためのクロスフローファン１１が設けられている。クロスフローファン１１は、室内機１内に設けられる１つの室内ファンモータ１２によって回転駆動される。室内機１の側面図である図２、図４および図５に示すように、クロスフローファン１１が室内機ケーシング４内に配置されており、室内機ケーシング４には、吸込口４２が前方、上方に設けられ、吹出口４９が下方に設けられている。この室内機ケーシング４には、図３、図５に示すように、前面側においてフロントパネル４１が、背面側において据付板４３が、それぞれ設けられている。フロントパネル４１の内側に配置された前方熱交換器１０ｆの下方には、図３、４に示すように、前方ドレンパン６０が設けられている。この据付板４３の内側には、図５、図６に示すように、後方熱交換器１０ｂやクロスフローファン１１の回転軸部等を支持する背面フレーム５０が配置されている。この背面フレーム５０には、図５等において示すように、後方熱交換器１０ｂの下方に配置される後方ドレンパン７０が設けられている。室内熱交換器１０の前方熱交換器１０ｆと後方熱交換器１０ｂとは、室内機ケーシング４内において、吸込口との間に位置し、クロスフローファン１１を取り囲むように、互いに多段曲げされて配置されている。室内機１は、クロスフローファン１１が回転駆動すると、室内空気が室内熱交換器１０を介して取り込まれ、熱交換された調和空気を再び室内に戻すことにより、対象となる空間を空調する。
【００３２】
室外機２には、圧縮機２２と、圧縮機２２の吐出側に接続される四路切換弁２３と、圧縮機２２の吸入側に接続されるアキュムレータ２１と、四路切換弁２３に接続された室外熱交換器２０と、室外熱交換器２０に接続された膨張弁２４とが設けられている。膨張弁２４は、液閉鎖弁２６を介して配管に接続されており、この配管を介して室内熱交換器１０の一端と接続される。また、四路切換弁２３は、ガス閉鎖弁２７を介して配管に接続されており、この配管を介して室内熱交換器１０の他端と接続されている。また、室外機２には、室外熱交換器２０での熱交換後の空気を外部に排出するためのプロペラファン２８が設けられている。このプロペラファン２８は、室外ファンモータ２９によって回転駆動される。
【００３３】
以下、室内熱交換器１０が空気中の水分を凝縮させて生じる凝縮水の排水機構およびこの排水機構に設けられた小動物侵入防止構造について説明する。
【００３４】
＜背面フレーム５０＞
背面フレーム５０は、図５に示すように、室内機１の据付板４３と後方熱交換器１０ｂとの間に配置され、クロスフローファン１１を軸部分において支持するファン支持部５３や（図３参照）、吹出口４９からの吹出空気の流れ方向を調節するフラップ５９を回動可能に支持するフラップ支持部５７およびフラップ軸受け部５８や、前方熱交換器１０ｆにおいて生じた凝縮水を排水する前方ドレンパン６０、および、後方熱交換器１０ｂにおいて生じた凝縮水を排水する後方ドレンパン７０等を有している（図６〜図９参照）。
【００３５】
ここで、背面フレーム５０の右側面断面図を図６に示す。そして、上面（図６中、矢印Ａで示す方向）から見た上面図を図７に、前面（図６中、矢印Ｂで示す方向）から見た前面図を図８に、背面（図６中、矢印Ｃで示す方向）から見た背面図を図９に、斜め前方（図６中、矢印Ｄで示す方向）から見た背面フレーム５０の右側の部分斜視図を図１０に、それぞれ示す。
【００３６】
なお、この金型による射出成型に用いられる素材としては、すなわち、背面フレームの素材としては、例えば、ＰＳ（polystyrene，ポリスチレン）や、ＡＢＳ（acrylonitrile-butadiene-styrene Plastics(Resin)，アクリロニトリル・ブタジエン・スチレン共重合物(樹脂)）等が挙げられる。
【００３７】
前方熱交換器１０ｆから生ずる凝縮水は、前方ドレンパン６０によって受け止められる。そして、この前方ドレンパン６０は、図８に示すように、水平方向からわずかに傾斜して設けられていることから、前方ドレンパン６０が受け止めた凝縮水は、前方ドレンパン６０の凝縮水が流れゆく先に下方に傾斜するようにして設けられている排水通路８０にまで導かれる（図１０の点線参照、図１２（ｂ）の矢印参照）。この排水通路８０の先端には、図１２（ａ）、（ｂ）に示すように、排水口８１が設けられている。また、この排水通路８０の排水口８１が設けられた先端側に対する他端側には、図１２（ａ）、（ｂ）に示すように、格子形状に成型された小動物侵入防止部材８２が設けられている。この小動物侵入防止部材８２の格子形状部分の隙間の最小距離Ｌ（図１２（ａ）中のＬで示す部分の距離）は、３．５ｍｍ〜４．５ｍｍ（好ましくは４．０ｍｍ）になるように成型されている。この最小距離は、凝縮水の流れ易さと、金型による樹脂の射出成型において、できあがった小動物侵入防止部材８２の強度や、その射出成型の際に用いる金型自体の製造容易性等の観点により、好ましい値が上述のように定められている。この排水口８１に対しては、図６および図１２（ｂ）に示すように、ドレンホース６の一端と接続されることで、室内から室外に凝縮水を送り出すようになっている。これにより、前方ドレンパン６０を介して、屋外と室内空間とが繋がった状態となる。ここで、ドレンホース６の一部は、室内に位置しており、室内空気ＲＡに触れている。そして、ドレンホース６の他の部分である屋外側は、屋外に位置しており、屋外空気ＯＡおよび日光、雨等にさらされている。
【００３８】
後方熱交換器１０ｂから生ずる凝縮水も同様に、後方ドレンパン７０によって受け止められる。そして、この後方ドレンパン７０も、図９に示すように、水平方向からわずかに傾斜して設けられていることから、後方ドレンパン７０に受け止められた凝縮水は、後方ドレンパン７０の凝縮水が流れゆく先に下方に傾斜するようにして設けられている排水通路８５にまで導かれる。
【００３９】
具体的には、この背面フレーム５０の後方ドレンパン７０には、図９に示すように、前面側において後方熱交換器１０ｂから滴り落ちてくる凝縮水を背面側に送るための背面開口７１と、背面側において背面側に突出するように設けられた上方ドレンパン７２、下方ドレンパン７７、鉛直面部７５およびガイドリブ７６と、排水通路８５と、が一体成型されて設けられている。鉛直面部７５は、上方ドレンパン７２の一端と下方ドレンパン７７との一端とを繋ぐように設けられている。
【００４０】
背面開口７１は、図７〜図９に示すように、背面フレーム５０の前方側に配置されている後方熱交換器１０ｂにおいて生じた凝縮水を、背面フレーム５０の後方側に導くための開口であって、略鉛直方向に開口している。
【００４１】
排水通路８５は、図９等に示すように、背面開口７１を介して背面側に導かれた凝縮水が、上方ドレンパン７２を伝って、ガイドリブ７６ａ〜７６ｃにガイドされることにより鉛直面部７５をまたぎ、下方ドレンパン７７を伝うという順序で流れて（図９の点線参照）、最終的に凝縮水が導かれて排水される通路である。この排水通路８５の先端には、図１２（ａ）、（ｂ）に示すように、排水口８６が設けられている。また、この排水通路８５の排水口８６が設けられた先端側に対する他端側には、図１２（ａ）、（ｂ）に示すように、排水通路８０と同様に、格子形状に成型された小動物侵入防止部材８７が設けられている。この小動物侵入防止部材８７の格子形状部分の隙間の最小距離Ｌも、３．５ｍｍ〜４．５ｍｍ（好ましくは４．０ｍｍ）になるように成型されている。この排水口８６に対しては、図６および図１２（ｂ）に示すように、ドレンホース７の一端と接続されることで、室内から室外に凝縮水を送り出すようになっている。これにより、後方ドレンパン７０についても、屋外と室内空間とが繋がった状態となる。ここで、ドレンホース７の一部は、室内に位置しており、室内空気ＲＡに触れている。そして、ドレンホース７の他の部分である屋外側は、屋外に位置しており、屋外空気ＯＡおよび日光、雨等にさらされている。
【００４２】
なお、以下、後方ドレンパン７０において、図面上略左側（凝縮水が流れてくる方向）を「上流側」と称し、図面上略右側（凝縮水が流れていく方向）を「下流側」と称して、説明する。
【００４３】
上方ドレンパン７２は、背面開口７１を介して落下してくる凝縮水を受け止め、ガイドリブ７６ａにまで導く上方リブ７３と、上方底面部７４と、を有している。上方リブ７３は、上方底面部７４よりもわずかに上方に、長手方向において互いに並行に延びるように設けられている。この上方ドレンパン７２の上方リブ７３および上方底面部７４は、下方ドレンパン７７側に向けて凝縮水を流すことができるように、上流側から下流側にかけてわずかに傾斜（水平方向からおおよそ１度程度の傾斜）している。
【００４４】
ガイドリブ７６ａ〜７６ｃは、図９に示すように、第１ガイドリブ７６ａと、第２ガイドリブ７６ｂと、第３ガイドリブ７６ｃとを有している。第１〜第３ガイドリブ７６ａ〜７６ｃは、いずれも、上流側において略水平方向（水平方向からおおよそ１度程度の傾斜）に延びた水平部分と、下流側において下流側下方に向けて略４５度に傾斜した傾斜部分と、が繋がった形状を有している。第１ガイドリブ７６ａの略水平部分の上流側端部は、上方ドレンパン７２の上方底面部７４の下流側端部と同一傾斜角度でなだらかに繋がっている。第２ガイドリブ７６ｂは、第１ガイドリブ７６ａから見て下流側下方に配置され、側面視においては互いに重ならないが、上面視においては第１ガイドリブ７６ａの傾斜部分の一部と第２ガイドリブ７６ｂの水平部分の一部とが互いに重なるように位置している。第３ガイドリブ７６ｃも同様に、第２ガイドリブ７６ｂから見て下流側下方に配置され、側面視においては互いに重ならないが、上面視においては第２ガイドリブ７６ｂの傾斜部分の一部と第３ガイドリブ７６ｃの水平部分の一部とが互いに重なるように位置している。
【００４５】
下方ドレンパン７７は、ガイドリブ７６ａ〜７６ｃの下方に位置している。上述した鉛直面部７５は、この下方ドレンパン７７の上流側端部と、上方ドレンパン７２（上方底面部７４）の下流側端部と、を鉛直方向に広がる面によって繋いでいる。この下方ドレンパン７７も、排水通路８０に凝縮水を導くために、上流側から下流側にかけてわずかに傾斜（水平方向からおおよそ１度程度の傾斜）している。
【００４６】
＜背面フレーム５０の排水通路８０，８５を成型する金型＞
ここでは、背面フレーム５０が金型によって成型される点、特に、排水通路８０、８５近傍が成型される点を説明する。なお、排水通路８０と排水経路８５は、同様に成型されるものであるため、合わせて一緒に説明する。
【００４７】
背面フレーム５０は、図１１に示すように、雄金型９１と雌金型９４とによって成型される。ここで、雄金型９１は、上述した排水通路８０、８５を成型するための凹部９２を有している。この凹部９２は、図１１に示すように、略円柱形状が傾斜したように陥没している。そして、凹部９２の底面は、格子形状を形作るための凹凸面９３から構成されている。また、雌金型９４は、上述した排水通路８０、８５を成型するための凸部９５を有している。この凸部９５は、雄金型９１の凹部９２の形状に対応した形状であり、略円柱形状に突起している。そして、凸部９５の先端は、略円上の平らな面を形成している。この凸部９５の円周において、排水通路８０、８５を形成するための通路形成縁部９７が設けられている。射出成型によって、この通路形成縁部９７に樹脂が入り込むことで、排水通路８０、８５が成型されることになる。
【００４８】
これらの雄金型９１と、雌金型９４とが、図１１に示す矢印Ｄの方向に互いに離れるように金型抜きされることで、図１２（ａ）、（ｂ）に示すような、上述した排水通路８０、８５、排水口８１、８６および小動物侵入防止部材８２、８７が成型される。
【００４９】
＜本実施形態の空気調和装置１００の室内機１の特徴＞
（１）
本実施形態の空気調和装置１００の室内機１では、前方熱交換器１０ｆと後方熱交換器１０ｂにおいて生じた凝縮水がそれぞれ前方ドレンパン６０と後方ドレンパン７０に集められ、各に集まってくる凝縮水は、それぞれ排水通路８０、８５を通過する。そして、排水通路８０、８５に接続されて室内と屋外とを繋ぐドレンホース６、７によって、凝縮水が屋外に排出される。ここで、排水通路８０、８５を通過する凝縮水は、排水通路８０、８５に設けられた格子形状の小動物侵入防止部材８２、８７を通過して、排水される。一方、屋外にまで延びているドレンホース６、７の中をつたって室内の部屋の中に侵入しようとするネズミ等の小動物やクモ等の昆虫等の移動体は、排水通路８０、８５に設けられている格子形状の小動物侵入防止部材８２、８７を室内の部屋に向けて通過することができないため、室内の部屋の中に侵入することができない。
【００５０】
また、空気調和装置１００の室内機１に、排水通路８０、８５および小動物侵入防止部材８２、８７が設けられている。このため、これらの排水通路８０、８５および小動物侵入防止部材８２、８７は、屋外の日光や温度変化による風化等の影響を受けにくく、劣化しにくい。さらに、屋外にまで延びて配置されているドレンホース６、７が劣化し、交換する必要が生じたとしても、ドレンホース６、７自体に移動体の侵入を防ぐ格子形状の小動物侵入防止部材のような部材を備えておく必要がなく、ドレンホース６、７の部品点数が少なくて済む。
【００５１】
これにより、屋外にさらされることによる排水通路８０、８５および小動物侵入防止部材８２、８７の劣化を避けて、ドレンホース６、７の部品点数を削減させつつ、排水通路８０、８５を通じた屋外からの室内への小動物や昆虫の侵入を防止することができる。
【００５２】
（２）
本実施形態の空気調和装置１００の室内機１では、排水通路８０、８５は、雄金型９１と雌金型９４とを互いに離れるように金型抜きされることで成型される。そして、その際に、雄金型９１の平面部分と雌金型９４の凹凸部分とが当接した際の接触状態に対応する形状の格子形状が、金型抜きされた後に小動物侵入防止部材８２、８７となる。
【００５３】
これにより、単に雄金型９１と雌金型９４とを接触させて互いに離すだけで小動物侵入防止部材８２、８７を容易に成型することができる。
【００５４】
また、排水通路８０、８５および小動物侵入防止部材８２、８７は、金型による射出成型によって一体成型されるため、背面フレーム５０と一体であるため、空気調和装置１００の室内機１の部品点数を削減することができる。
【００５５】
＜変形例＞
以上、本発明について説明したが、具体的な構成は、上記の実施の形態に限られるものではなく、発明の要旨を逸脱しない範囲で変更可能である。
【００５６】
（Ａ）
上述の第１実施形態における空気調和装置１００の室内機１の排水通路８０、８５では、小動物侵入防止部材８２、８７として格子形状の抵抗対を例に挙げて説明した。
【００５７】
しかし、本発明はこれに限られるものではなく、例えば、小動物侵入防止部材８２、８７としては、凝縮水の排水は許可しつつ、小動物や昆虫等の侵入を防止するような、弁、網、スリット形状等であってもよい。
【００５８】
このような形状であったとしても、上記実施形態と同様の効果を奏することができる。
【００５９】
（Ｂ）
上述の第１実施形態における空気調和装置１００の室内機１では、小動物侵入防止部材８２、８７が、排水通路８０、８５において、排水口８１、８６が設けられている先端側とは反対側の端部に設けられている場合について例に挙げて説明した。
【００６０】
これに対して、例えば、小動物侵入防止部材１８２、１８７は、図１３、図１４（ａ）、（ｂ）に示すように、排水口８１、８６の近傍に設けてもよい。この場合には、金型としては、図１３に示すように、雌金型９４の凹部１９５の底面の円の内側が凹凸形状１９６を有するものであり、雄金型９１の凸部１９２の先端部分１９３が略円上の平らな面を有するものを用いて射出成型するようにしてもよい。
【００６１】
このように射出成型して得られる排水通路５０としては、例えば、図１４（ａ）に示すように、小動物侵入防止部材１８２、１８７は、格子状ではなく、略円形状にくり抜くような形状として成型し、くり抜き部分を介して凝縮水を通過させる構造としてもよい。この場合であっても、くり抜き部分の直径Ｌは、３．５ｍｍ〜４．５ｍｍ（好ましくは４．０ｍｍ）となるように成型される。
【００６２】
さらに、小動物侵入防止部材１８２、１８７は、上記以外にも、排水通路８０、８５の通過方向に対する中央近傍に設けられた構成であってもよい。
【００６３】
このような場合であっても、上記実施形態と同様の効果を奏することができる。
【産業上の利用可能性】
【００６４】
本発明を利用すれば、屋外にさらされることによる劣化を避けて、ドレンホースの部品点数を削減させつつ、排水機構を通じた屋外からの室内への小動物や昆虫の侵入を防止することが可能なため、特に、熱交換器において生じた凝縮水をドレンホースを介して屋外に排出する空気調和装置の室内機に適用することができる。
【図面の簡単な説明】
【００６５】
【図１】本発明の空気調和装置の外観図。
【図２】冷媒回路の構成図。
【図３】室内機の概略斜視図。
【図４】室内機の内部構成を示す斜視図。
【図５】室内機の右側面断面図。
【図６】背面フレームと室内壁との右側面図。
【図７】背面フレームの上面図。
【図８】背面フレームの正面図。
【図９】背面フレームの背面図。
【図１０】背面フレームの部分斜視図。
【図１１】雄金型と雌金型との金型抜きを示す図。
【図１２】（ａ）排水通路の正面図。（ｂ）排水通路の断面図。
【図１３】変形例（Ｂ）に係る雄金型と雌金型との金型抜きを示す図。
【図１４】（ａ）変形例（Ｂ）に係る排水通路の正面図。（ｂ）変形例（Ｂ）に係る排水通路の断面図。
【符号の説明】
【００６６】
１  室内機
２  室外機
６、７  ドレンホース
１０  室内熱交換器（熱交換器）
６０  前方ドレンパン（ドレンパン）
７０  後方ドレンパン（ドレンパン）
８０、８５  排水通路
８２、８７  小動物侵入防止部材（通過抵抗部）
９１  雄金型
９４  雌金型
１００  空気調和装置
【図１】
2008095993.tif 000003
【図２】
2008095993.tif 000004
【図３】
2008095993.tif 000005
【図４】
2008095993.tif 000006
【図５】
2008095993.tif 000007
【図６】
2008095993.tif 000008
【図７】
2008095993.tif 000009
【図８】
2008095993.tif 000010
【図９】
2008095993.tif 000011
【図１０】
2008095993.tif 000012
【図１１】
2008095993.tif 000013
【図１２】
2008095993.tif 000014
【図１３】
2008095993.tif 000015
【図１４】
2008095993.tif 000016